(57)【要約】【課題】処理液を噴射しつつその噴射量を作業者が簡単に目視確認でき、施工時には塗布量を随時チェックしつつ塗布作業を進展できる極めて作業性及び実用性に秀れた液塗布装置を提供する。【解決手段】処理液ａを貯留する貯留部１と、この貯留部１から圧送手段２によって圧送される前記処理液ａを先端のノズル部３Ａから噴射する噴射部３と、この噴射部３からの前記処理液ａの噴射量を計測する噴射量計測手段４と、この噴射量計測手段４による計測結果を作業者が視認し得るように出力する出力手段５とを備えた液塗布装置。【選択図】図１
2009095783.tif 000002
【特許請求の範囲】
【請求項１】
処理液を貯留する貯留部と、この貯留部から圧送手段によって圧送される前記処理液を先端のノズル部から噴射する噴射部と、この噴射部からの前記処理液の噴射量を計測する噴射量計測手段と、この噴射量計測手段による計測結果を作業者が視認し得るように出力する出力手段とを備えたことを特徴とする液塗布装置。
【請求項２】
前記噴射量計測手段は、前記貯留部から前記圧送手段によって前記噴射部へと圧送される前記処理液の流量を計測する流量計測部と、この流量計測部による計測結果に基づいて前記噴射部からの前記処理液の噴射量を算出する噴射量算出部とを備えたことを特徴とする請求項１記載の液塗布装置。
【請求項３】
前記流量計測部は、前記貯留部と前記噴射部の先端のノズル部との間の前記処理液の流路途中に設け、この流路途中を流通する前記処理液の瞬時流量を順次計測する構成とし、前記噴射量算出部は、前記流量計測部により計測した瞬時流量を積算して前記噴射部からの前記処理液の噴射量を算出する構成としたことを特徴とする請求項１，２のいずれか１項に記載の液塗布装置。
【請求項４】
前記出力手段は、前記噴射量計測手段による計測結果をデジタル表示するモニタなどの表示部を備えたことを特徴とする請求項１〜３のいずれか１項に記載の液塗布装置。
【請求項５】
前記噴射量計測手段による計測結果を記録保存するか若しくはその計測結果をコンピュータで読み取り可能な記録媒体にデータとして記録保存する記録保存手段，或いはその計測結果を紙媒体に印刷する印刷手段を備えたことを特徴とする請求項１〜４のいずれか１項に記載の液塗布装置。
【発明の詳細な説明】
【技術分野】
【０００１】
本発明は、例えばコンクリート構造物に処理液を噴射し、このコンクリート構造物の表面に前記処理液を塗布する液塗布装置に関するものである。
【背景技術】
【０００２】
従来から、鉄筋コンクリート構造物（ＲＣ構造物）やプレストレストコンクリート構造物（ＰＣ構造物）など（以下「ＲＣ・ＰＣ構造物」と言う。）の内部鉄筋の腐食の長期間抑制を目的として、このＲＣ・ＰＣ構造物の表面に含浸系表面保護材（以下「処理液」と言う。）を塗布する鉄筋腐食抑制処理が施工される場合がある。
【０００３】
これは例えば、前記処理液をＲＣ・ＰＣ構造物の表面に塗布することで表面に吸水防止層を形成し、劣化因子である水の侵入を防ぎＲＣ・ＰＣ構造物の内部鉄筋の腐食を長期間抑制するなどの種々の作用を発揮するものである。
【０００４】
この鉄筋腐食抑制処理においては、十分な腐食抑制作用が得られるように、種々の施工条件に応じて単位面積あたりの処理液の塗布量が設定される。よって施工時には、少なくとも設定された塗布量の処理液を単位面積あたりに確実に塗布することが重要であり、その為には施工時における塗布量の管理が重要である（仮にたった一ヶ所でも塗布量が不足した箇所があり、そこからＲＣ・ＰＣ構造物への劣化因子の侵入を許すこととなれば所期通りの腐食抑制作用が期待できない。）。
【０００５】
従来は、施工範囲を例えば５０ｍ２程度に区割りし、設定された単位面積あたりの塗布量に基づいて各区割り毎に必要な所要量の処理液を予め計量しておく。そして施工時にはこの計量した所要量の処理液を例えば液塗布装置（特許文献１など）やローラなどを適宜使用して前記区割り内に均一となるように塗布している。つまり、区割りの面積に応じて適量の処理液を計量しておき、施工時にはその処理液をちょうど使い切るように区割り内に均一に塗布することで単位面積あたりに適量の処理液を塗布できるようにしている。
【０００６】
しかし前述した手順は、単に各区割り毎における処理液の使用量を管理しているに過ぎず、たとえ使用する処理液の量は適量でも、その適量の処理液を広い区割り内にムラ無く（過不足無く）均一に塗布することが困難であり（特にこの種の処理液は一般に無色透明で、塗布しても外観が変わらず塗布量の把握が非常に困難であり）、従って、区割り内において塗布量のバラつきが生じ易い大雑把な塗布量の管理方法に過ぎない。
【０００７】
例えば、施工範囲をより多数に且つ小範囲に区割りして、その狭い区割り毎に処理液の使用量を管理すれば、それだけ処理液の使用量をより綿密に管理できるし、各区割りの面積が狭いだけにこの区割り内における塗布量のムラ，つまり塗布量のバラつきも少なく抑えられるなど、より綿密な塗布量の管理が図れる。しかし一方で、区割り数を増やせば、それだけ各区割りで使用する処理液を計量する作業回数も増えることとなる。つまり、塗布量の管理の綿密化を図るべく区割り数を増やすほど、それだけ煩わしい計量作業の手間も増えることとなり作業効率が悪い。
【０００８】
従ってこれまでは、塗布作業を行う際に、予め処理液を本来必要な所要量よりも多めに用意し、設定よりも多めに処理液を塗布することにより、たとえ塗布量にムラが生じても塗布量の不足した箇所（必要最小量の塗布量すら塗布されない箇所）が生じ得ないように対策しているのが現状である。とはいえ、このように処理液を多量に使用すればそれだけ施工コストが高くなり、また施工作業の無駄も多くなるなど非効率的である。
【０００９】
【特許文献１】特開平９−１６８７５７号公報
【発明の開示】
【発明が解決しようとする課題】
【００１０】
本発明は、上述のような問題点に着目しこれを解決するものであって、噴射部から処理液を噴射して塗布作業を実施できることは勿論、処理液の噴射量，つまり処理液の塗布量を作業者が簡単に目視確認できるように構成することで、施工時には作業者が必要に応じていつでも簡単に塗布量をチェックでき、たとえ広い施工範囲でも塗布量を随時チェックしながら塗布作業を進展でき、それだけムラなく均一な塗布作業を簡便に実施でき、ひいては処理液の無駄な塗布量も抑えることができ、使用する処理液を作業者がいちいち計量する作業も一切不要となるなど、極めて作業性及び実用性に秀れた画期的な液塗布装置を提供することを課題とする。
【課題を解決するための手段】
【００１１】
添付図面を参照して本発明の要旨を説明する。
【００１２】
処理液ａを貯留する貯留部１と、この貯留部１から圧送手段２によって圧送される前記処理液ａを先端のノズル部３Ａから噴射する噴射部３と、この噴射部３からの前記処理液ａの噴射量を計測する噴射量計測手段４と、この噴射量計測手段４による計測結果を作業者が視認し得るように出力する出力手段５とを備えたことを特徴とする液塗布装置に係るものである。
【００１３】
また、前記噴射量計測手段４は、前記貯留部１から前記圧送手段２によって前記噴射部３へと圧送される前記処理液ａの流量を計測する流量計測部６と、この流量計測部６による計測結果に基づいて前記噴射部３からの前記処理液ａの噴射量を算出する噴射量算出部７とを備えたことを特徴とする請求項１記載の液塗布装置に係るものである。
【００１４】
また、前記流量計測部６は、前記貯留部１と前記噴射部３の先端のノズル部３Ａとの間の前記処理液ａの流路途中に設け、この流路途中を流通する前記処理液ａの瞬時流量を順次計測する構成とし、前記噴射量算出部７は、前記流量計測部６により計測した瞬時流量を積算して前記噴射部３からの前記処理液ａの噴射量を算出する構成としたことを特徴とする請求項１，２のいずれか１項に記載の液塗布装置に係るものである。
【００１５】
また、前記出力手段５は、前記噴射量計測手段４による計測結果をデジタル表示するモニタなどの表示部５Ａを備えたことを特徴とする請求項１〜３のいずれか１項に記載の液塗布装置に係るものである。
【００１６】
また、前記噴射量計測手段４による計測結果を記録保存するか若しくはその計測結果をコンピュータで読み取り可能な記録媒体にデータとして記録保存する記録保存手段８，或いはその計測結果を紙媒体に印刷する印刷手段９を備えたことを特徴とする請求項１〜４のいずれか１項に記載の液塗布装置に係るものである。
【発明の効果】
【００１７】
本発明は上述のように、噴射部から処理液を噴射して塗布作業を実施できることは勿論、処理液の噴射量，つまり処理液の塗布量を作業者が簡単に目視確認できるように構成したから、施工時には作業者が必要に応じていつでも簡単に塗布量をチェックでき、たとえ広い施工範囲でも塗布量を随時チェックしながら塗布作業を進展でき、それだけムラなく均一な塗布作業を簡便に実施でき、ひいては処理液の無駄な塗布量も抑えることができ、使用する処理液を作業者がいちいち計量する作業も一切不要となるなど、極めて作業性及び実用性に秀れた画期的な液塗布装置となる。
【００１８】
また、請求項２，３記載の発明においては、噴射量計測手段により、一層確実に噴射部からの処理液の噴射量を計測できる構成となる。とりわけ請求項３記載の発明においては、噴射量計測手段により塗布作業中の処理液の噴射量をより一層正確に計測でき、ひいては処理液の塗布量をより一層正確に管理できる秀れた液塗布装置となる。
【００１９】
また、請求項４記載の発明においては、例えば目盛りを目測したりする煩わしい手間は一切不要で、表示部にデジタル表示された噴射量計測手段の計測結果を作業者が一見して簡単に目視確認でき、処理液の噴射量，つまり塗布量のチェックを一層簡便に行える実用性に秀れた液塗布装置となる。
【００２０】
また、請求項５記載の発明においては、噴射量計測手段による計測結果を記録保存手段により本装置か若しくは記録媒体に記録保存できる構成，或いはその計測結果を印刷手段により紙媒体に印刷できる構成としたから、塗布作業後に処理液の噴射量を正確に確認でき、作業後に施工管理や第三者への作業報告を行うにも極めて好適で一層実用性に秀れた液塗布装置となる。
【発明を実施するための最良の形態】
【００２１】
好適と考える本発明の実施形態（発明をどのように実施するか）を、図面に基づいて本発明の作用を示して簡単に説明する。
【００２２】
処理液ａの塗布作業において、貯留部１に貯留する処理液ａを圧送手段２により噴射部３に圧送し、この噴射部３の先端のノズル部３Ａから前記処理液ａを噴射することで、この処理液ａの塗布作業を実施できる。
【００２３】
この際、噴射部３からの前記処理液ａの噴射量が噴射量計測手段４により計測され、その計測結果が出力手段５によって出力される。作業者は、前記出力手段５による出力結果を単に目視することで簡単に処理液ａの噴射量，つまり処理液ａの塗布量を確認できることとなる。
【００２４】
従って、本発明に係る液塗布装置により処理液ａの塗布作業を実施すれば、作業者は必要に応じていつでも簡単に塗布量をチェックしながら作業を進展できることとなる。
【００２５】
広い施工範囲に塗布作業を行う場合にも、塗布量を随時チェックしつつ綿密に塗布量の管理を行いつつ塗布作業を進展するなどして、これまでになく塗布量のムラの少なく均一な塗布作業を行うことも容易に可能となる。
【００２６】
また、これまでは塗布量のムラを考慮して処理液ａを多めに塗布していたところを、本発明によれば上述のように塗布量のムラを抑えることができるから、それだけ無駄な塗布量も少なく抑えることができ施工コスト（処理液ａの費用）を低減でき、また無駄な塗布作業もそれだけ少なく抑えられることとなる。
【００２７】
また上述のように、本発明は出力手段５による出力を作業者が目視するだけで塗布量（処理液ａの噴射量）を簡単に確認できるから、従来のように塗布作業を行う前に使用する処理液ａをいちいち作業者が計量する必要は一切無い。
【００２８】
また噴射量計測手段４による計測結果を、例えば後述する実施例のように、記録保存手段８によって記録したり、印刷手段９によって紙媒体に印刷し得る構成とすれば、塗布量（処理液ａの噴射量）を作業後にいつでも正確に確認できることとなる。即ち、例えば施工状況や進捗状況などの施工管理を簡便に行うことができ、また第三者への施工報告なども極めて容易となる。
【実施例】
【００２９】
本発明の具体的な実施例について図面に基づいて説明する。
【００３０】
本実施例は、図１に図示したように、処理液ａを貯留する貯留部１と、この貯留部１から圧送手段２によって圧送される前記処理液ａを先端のノズル部３Ａから噴射する噴射部３と、この噴射部３からの前記処理液ａの噴射量を計測する噴射量計測手段４と、この噴射量計測手段４による計測結果を作業者が視認し得るように出力する出力手段５とを備えた液塗布装置である。尚、本実施例は処理液ａとして含浸系保護材を採用し、ＲＣ・ＰＣ構造物の表面に含浸系表面保護材（処理液ａ）を塗布する鉄筋腐食抑制処理に使用される液塗布装置として構成したが、これに限らず所定の処理面に向けて処理液ａを噴射して塗布作業を行いつつその処理液ａの噴射量を管理したい要求が生じ得る場面で使用される装置であれば、適宜設計変更し得るものであり、本実施例の適用範囲は多岐にわたるものである。
【００３１】
以下、本実施例を具体的に説明する。
【００３２】
処理液ａは、前述したように、ＲＣ・ＰＣ構造物の表面に塗布することで、劣化因子の侵入を阻止する保護層を形成する既存の含浸系保護材である。この処理液ａを貯留する前記貯留部１としては、前記処理液ａを貯留し得るものであればどのように設計しても良く、本実施例では、後述する台車部10に搭載し得るサイズを考慮してＳＵＳ製の３０Ｌ容量タンクを採用した。
【００３３】
この貯留部１に、前記噴射部３の上流側を連通接続する。またこの貯留部１と噴射部３との間には、前記圧送手段２を設けている。具体的には、圧送手段２としての圧送ポンプを介して貯留部１と前記噴射部３の上流側とを連通接続し、この圧送ポンプ（圧送手段２）の送液圧により前記貯留部１内の処理液ａを前記噴射部３へと圧送する構成としている。尚、圧送ポンプは電動式とし、後述する電源部11としてのインバータ発電機に電気的に接続されて電源部11からの電力供給により作動する構成とする。
【００３４】
また、噴射部３の先端のノズル部３Ａの構成としては適宜採用できるが、本実施例においては、処理液ａを無駄に広範囲に飛散させることなく狙った塗布箇所に噴射・塗布し得るように、飛散防止の機能を具備した既存の飛散低減ノズルを採用している。
【００３５】
前記噴射量計測手段４は、前記貯留部１から前記圧送手段２によって前記噴射部３へと圧送される前記処理液ａの流量を計測する流量計測部６と、この流量計測部６による計測結果に基づいて前記噴射部３からの前記処理液ａの噴射量を算出する噴射量算出部７とを備えた構成とする。
【００３６】
具体的には、図１に図示したように、流量計測部６は、前記貯留部１と前記噴射部３の先端のノズル部３Ａとの間の前記処理液ａの流路途中に設ける。
【００３７】
また、この流量計測部６は、測定管内に設けた絞り部を境界にして測定管の上流側と下流側との差圧を計測することで測定管内の流量を計測するオリフィス式の流量計測手法を採用した計測器であり、この流量計測部６の測定管を本装置の処理液ａの流路途中に接続し、処理液ａの流路途中における（測定管内における）瞬時流量を順次計測する構成である。尚、この流量計測部６としては、オリフィス式の既存の計測器を適宜採用でき、前述した測定管を処理液ａの流路途中に接続することで流量計測を容易に実現できる。また、本実施例に係る液塗布装置の通常の使用時に想定される流量を考慮して好適な計測範囲を有するものを採用することが望ましい。
【００３８】
また、前記噴射量算出部７は、前述した流量計測部６により計測した瞬時流量を積算して前記噴射部３からの前記処理液ａの噴射量を算出する構成としている。
【００３９】
例えば噴射時の瞬時流量は常に一定と想定し、単にその一定の瞬時流量と噴射時間との積により噴射量を算出するように噴射量計測手段４を構成した場合でも、大雑把な噴射量を計測することは可能である。しかし、本実施例の噴射量計測手段４のように流量計測部６で瞬時流量を順次計測しつつ噴射量算出部７で順次積算することで噴射量を算出することで、噴射時の瞬時流量の変化にも対応でき、より正確な噴射量を算出・計測できる。
【００４０】
また、前記出力手段５は、前記噴射量計測手段４による計測結果をデジタル表示する表示部５Ａとして、流量計測部６及び噴射量算出部７による計測結果或いは算出結果をデジタル表示するモニタを備えている。
【００４１】
この出力手段５の表示部５Ａとして、例えば計測結果や算出結果を示す目盛り部を設けた構成としても良いが、しかし本実施例のようにモニタを設けて計測結果の数値をデジタル表示する構成とした場合は、モニタを視認した作業者が例えば一々目盛りを読んだりする手間も一切不要で一見した簡単にその計測結果を目視確認できることとなる。
【００４２】
また、本実施例では、前記噴射量計測手段４による計測結果を記録保存するか若しくはその計測結果をコンピュータで読み取り可能な記録媒体にデータとして記録保存する記録保存手段８を備えている。具体的には、本装置自体に具備したデータ記録部（図示省略）に前記計測結果をデータとして保存でき、更にいつでも任意にそのデータを他の記録媒体にも記録保存できるように構成している。
【００４３】
また、更に図２に図示したように、その計測結果を紙媒体に印刷する印刷手段９も備えている。この印刷手段９は、作業後に直ちに、その作業中の前記噴射量計測手段４による計測結果を紙媒体にできるように構成する。更に、記録保存手段８によって本装置自体（前記データ記録部）に記録しておいた計測結果を、いつでも任意に読み出してこの印刷手段９から印刷できるように構成している。
【００４４】
従って、噴射量の計測結果を記録保存手段８により記録保存するか、若しくは印刷手段９により紙媒体に印刷してその計測結果を残すことで、作業終了後に作業者は処理液ａの噴射量（つまり塗布量）をいつでも正確に振り返って確認できる。つまり、作業後の塗布量の管理を正確且つ簡便に行えることとなる。
【００４５】
特に記録保存手段８により計測結果データを記録媒体に記録保存した場合には、計測結果をコンピュータで管理でき、その施工管理を非常に容易とする。
【００４６】
また、処理液ａとして使用する含浸系表面保護材は、一般に無色透明であり、塗布作業を実施しても表面に外観上の変化が見られないだけに、塗布作業を行ってもその施工報告や施工証明が困難であり、これが作業者にとって、また施工発注者にとっても非常に厄介な問題であった。
【００４７】
しかし、本装置によれば、処理液ａの噴射量、つまり塗布量を正確に計測でき、その計測結果をデータや紙媒体として残すことができ、作業後の施工管理を容易とするだけでなく施工証明も良好に行える。即ち、印刷手段９によれば、測定結果を手書きでメモするのではなくこの印刷手段９によって紙媒体に印刷するので、測定結果の書き換えが不能で高い証明効果を発揮できる。また、記録保存手段８の場合は、その測定結果データに例えば電子署名を付加して記録保存するなどして、測定結果データを改ざん不能にすることで、やはり高い証明効果を発揮できる。
【００４８】
いずれにしても、噴射量計測手段４で正確な計測結果、つまり正確な塗布量を計測でき、その結果を記録保存手段８や印刷手段９によりデータや印刷結果として残し、作業後の塗布量の管理、施工状況・進捗状況の報告、施工証明（施工日時や塗布量の証明）などを極めて良好に行うことができるなど、作業者や施工発注者にとって大きな利点を有することとなる。
【００４９】
尚、この噴射量計測手段４や記録保存手段８，印刷手段９，更に上述の圧送手段２（圧送ポンプ）は、いずれも電源部11としてのインバータ発電機からの電力供給により作動する構成である。
【００５０】
また、この電源部11は、図１に図示したようにキャスター10Ａ及びハンドル部10Ｂを備えた台車部10に搭載し、その他、噴射量計測手段４や記録保存手段８，印刷手段９，圧送手段２（圧送ポンプ）もこの台車部10に搭載した構成であり、この台車部10を、作業者が一人で押動や引動して作業現場まで搬送し得るものである。
【００５１】
また、台車部10の後方側にして前記ハンドル部10Ｂを設けた側に、噴射量計測手段４の噴射量算出部７，記録保存手段８，印刷手段９を一体に設けた制御部Ａと、これらを操作する操作盤Ａ１を設けた構成である。尚この操作盤Ａ１に前記表示手段５のモニタ（表示部５Ａ）を具備している。
【００５２】
また、この制御部Ａには、噴射量計測手段４の噴射量算出部７の積算値を「０」にリセットするリセット操作部（図示省略）を備えており、所定の塗布範囲の塗布作業が終了したところで積算値をリセットし、次なる塗布範囲における噴射量を「０」から積算する。
【００５３】
本実施例に係る液塗布装置は、既存の流量計測器(流量計測部６）と、その計測結果を算出する既存の演算処理器（噴射量算出部７）など既存の機器を組み込んだシンプルな構造ながら、処理液ａの噴射量を正確に計測でき、塗布量を綿密にチェックしながら塗布作業を進展できそれだけ塗布量にムラの少ないより均一な塗布作業を容易に可能とし、しかも作業後の塗布量の管理、施工状況・進捗状況の報告、施工証明（施工日時や塗布量の証明）も極めて容易に可能とするなど極めて作業性及び実用性に秀れた液塗布装置となる。
【００５４】
尚、本発明は、本実施例に限られるものではなく、各構成要件の具体的構成は適宜設計し得るものである。
【図面の簡単な説明】
【００５５】
【図１】本実施例に係る液塗布装置の説明側面図である。
【図２】本実施例に係る液塗布装置の要部説明斜視図である。
【符号の説明】
【００５６】
１  貯留部
２  圧送手段
３  噴射部
３Ａ  ノズル部
４  噴射量計測手段
５  出力手段
５Ａ  表示部
６  流量計測部
７  噴射量算出部
８  記録保存手段
９  印刷手段
ａ  処理液
【図１】
2009095783.tif 000003
【図２】
2009095783.tif 000004